【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
半導体発光素子と、
前記半導体発光素子を駆動するための入力信号を受けるように設けられた信号入力、参照信号を受けるように設けられた参照入力、及び前記半導体発光素子に接続されるように設けられた出力を有する駆動回路と
を備え、
前記駆動回路は、
前記出力に電気的に接続された一端、第１のノードに電気的に接続された他端、及び前記一端と前記他端との間にインピーダンスを有する電子素子と、
前記第１のノードと電源線との間に設けられた第１のキャパシタと、
前記第１のノードに電気的に接続された第１の入力、前記参照入力に電気的に接続された第２の入力、及び前記第１のノードに電気的に接続された出力を有する差動増幅部と、
前記信号入力と前記出力との間に設けられ前記入力信号から駆動信号を生成する駆動信号生成部と
を備える、光素子回路。
【請求項２】
半導体発光素子と、
負荷素子と、
前記半導体発光素子を駆動するための入力信号を受けるように設けられた信号入力、前記半導体発光素子に接続された出力、前記負荷素子に接続されるように設けられた別の出力を有する駆動回路と
を備え、
前記駆動回路は、
前記出力及び前記別の出力にそれぞれ電気的に接続された第１及び第２の出力と前記信号入力に電気的に接続された入力とを有しており前記入力信号から駆動信号及び相補駆動信号を生成する信号駆動生成部と、
前記出力に電気的に接続された一端と、前記別の出力に電気的に接続された他端と、前記一端と前記他端との間に設けられたインピーダンスとを有する電子素子と
を備える、光素子回路。
【請求項３】
前記駆動信号生成部は、前記半導体発光素子を第１の発光パワーで発光させる第１の信号値と、前記半導体発光素子を第２の発光パワーで発光させる第２の信号値を有する前記駆動信号を発生するように構成されており、
前記第１の発光パワーは前記第２の発光パワーより大きく、
前記半導体発光素子のインピーダンスは、前記第１の発光パワーを生成するときに第１のインピーダンス以下の値を示すと共に前記第２の発光パワーを生成するときに第２のインピーダンス以上の値を示すように構成されており、
前記第１のインピーダンスは、前記第２のインピーダンスより小さく、
前記電子素子は、前記第２のインピーダンス以下のインピーダンスを有するように構成されている、請求項１または２に記載の光素子回路。
【請求項４】
半導体発光素子と、
参照入力を受けるための第１の入力、第２の入力及び出力を有する差動増幅回路を含む半導体素子と、
前記半導体発光素子の一端に電気的に接続された一端と、前記差動増幅回路の第２の入力及び出力に電気的に接続された他端と、前記一端と前記他端との間に設けられたインピーダンスとを有する電子素子と、
前記電子素子の他端に電気的に接続された一端と他端とを有するキャパシタと、
前記半導体発光素子の一端に電気的に接続されており所定の伝送レートの駆動信号を発生する駆動素子と、
前記半導体発光素子及び前記キャパシタを搭載する搭載部材と
を備える光モジュール。
【請求項５】
半導体発光素子と、
負荷素子と、
前記半導体発光素子の一端に電気的に接続された一端と、前記負荷素子の一端に電気的に接続された他端と、前記一端と前記他端との間に設けられたインピーダンスとを有する電子素子と、
前記半導体発光素子及び前記負荷素子を搭載する搭載部材と、
前記半導体発光素子を駆動するための入力信号を受けるように設けられた信号入力、前記半導体発光素子の前記一端に接続された出力、前記負荷素子の前記一端に接続された別の出力を有し、所定の伝送レートの駆動信号を前記出力に、及び前記駆動信号の相補駆動信号を前記別の出力に発生する駆動素子と
を備える、光モジュール。
【請求項６】
前記駆動素子は、前記半導体発光素子を第１の発光パワーで発光させる第１の信号値と、前記半導体発光素子を第２の発光パワーで発光させる第２の信号値を有する前記駆動信号を発生するように構成されており、
前記第１の発光パワーは前記第２の発光パワーより大きく、
前記半導体発光素子のインピーダンスは、前記第１の発光パワーを生成するときに第１のインピーダンス以下の値を示すと共に前記第２の発光パワーを生成するときに第２のインピーダンス以上の値を示すように構成されており、
前記第１のインピーダンスは前記第２のインピーダンスより小さく、
前記電子素子は、前記第２のインピーダンス以下のインピーダンスを有するように構成されている、請求項４または請求項５に記載された光素子回路。
【手続補正２】
【補正対象書類名】明細書
【補正対象項目名】０００５
【補正方法】変更
【補正の内容】
【０００５】
【課題を解決するための手段】
本発明の一側面は、光素子回路に関する。光素子回路は、半導体発光素子と、駆動回路とを備える。駆動回路は、信号入力と、参照入力と、出力と、電子素子と、第１のキャパシタ、差動増幅部と、駆動信号生成部とを備える。信号入力は、半導体発光素子を駆動するための入力信号を受けるように設けられている。参照入力は、参照信号を受けるように設けられている。出力は、半導体発光素子に接続されるように設けられている。電子素子は、出力に電気的に接続された一端と、第１のノードに電気的に接続された他端と、一端と他端との間にインピーダンスとを有している。第１のキャパシタは、第１のノードと電源線との間に設けられている。差動増幅部は、第１のノードに電気的に接続された第１の入力、参照入力に電気的に接続された第２の入力、及び第１のノードに電気的に接続された出力を有している。駆動信号生成部は、信号入力と出力との間に設けられており、入力信号から駆動信号を生成する。
【手続補正３】
【補正対象書類名】明細書
【補正対象項目名】００１１
【補正方法】変更
【補正の内容】
【００１１】
本発明の別の側面は、光素子回路に関する。光素子回路は、半導体発光素子と、負荷素子と、駆動回路とを備える。駆動回路は、信号入力と、出力と、別の出力と、信号駆動生成部と、電子素子とを備える。信号入力は、半導体発光素子を駆動するための入力信号を受けるように設けられている。出力は、半導体発光素子に接続されるように設けられている。別の出力は、負荷素子に接続されるように設けられている。信号駆動生成部は、信号入力に電気的に接続された入力と、出力及び別の出力にそれぞれ電気的に接続された第１及び第２の出力とを有しており、駆動信号及び相補駆動信号を入力信号から生成する。電子素子は、出力に電気的に接続された一端と、別の出力に電気的に接続された他端と、一端と他端との間にインピーダンスを有する。
【手続補正４】
【補正対象書類名】明細書
【補正対象項目名】００１７
【補正方法】変更
【補正の内容】
【００１７】
本発明の駆動回路及び光素子回路では、駆動信号生成部は、半導体発光素子を第１の発光パワーで発光させる第１の信号値と、第２の発光パワーで発光させる第２の信号値を有する駆動信号を発生するように構成されている。第１の発光パワーは第２の発光パワーより大きい。半導体発光素子のインピーダンスは、第１の発光パワーを生成するときに第１のインピーダンス以下を示すと共に第２の発光パワーを生成するときに第２のインピーダンス以上を示すように構成されている。第１のインピーダンスは、第２のインピーダンスより小さい。電子素子は、第２のインピーダンス値以下のインピーダンスを有するように構成されている。この範囲のインピーダンス値によれば、半導体発光素子が発生する光信号のロウレベルの変動を縮小することができる。
【手続補正５】
【補正対象書類名】明細書
【補正対象項目名】００１９
【補正方法】変更
【補正の内容】
【００１９】
本発明の更なる別の側面は、光モジュールに係わる。光モジュールは、半導体発光素子と、電子素子と、キャパシタと、搭載部材と、駆動素子とを備える。半導体発光素子は、一端及び他端を有する。この一端は、電源ラインに電気的に接続されている。電子素子は、半導体発光素子の一端に電気的に接続された一端と、差動増幅回路の入力及び出力に電気的に接続された他端と、一端と他端との間にインピーダンスを有している。キャパシタは、電子素子の他端に電気的に接続された一端と、他端とを有する。搭載部材は、半導体発光素子及びキャパシタを搭載する。駆動素子は、半導体発光素子の一端に電気的に接続されており、所定の伝送レートの駆動信号を発生する。
【手続補正６】
【補正対象書類名】明細書
【補正対象項目名】００２２
【補正方法】変更
【補正の内容】
【００２２】
本発明の光モジュールは、半導体発光素子と、負荷素子と、電子素子と、搭載部材と、駆動素子とを備える。半導体発光素子は、一端及び他端を有する。負荷素子は、一端及び他端を有する。電子素子は、半導体発光素子の一端に電気的に接続された一端と、負荷素子の一端に電気的に接続された他端と、一端と他端との間にインピーダンスとを有している。搭載部材は、半導体発光素子及び負荷素子を搭載する。駆動素子は、半導体発光素子を駆動するための入力信号を受けるように設けられた入力信号、半導体発光素子の一端に接続された出力、負荷素子の一端に接続された別の出力を有し、所定の伝送レートの駆動信号を出力に、及び駆動信号の相補駆動信号を別の出力に発生する。
【手続補正７】
【補正対象書類名】明細書
【補正対象項目名】００２７
【補正方法】変更
【補正の内容】
【００２７】
本発明の光モジュールは、ペルチェ素子を更に備えることができる。搭載部材は、ペルチェ素子上に設けられている。ペルチェ素子上には、電子素子を配置できるので、電子素子と半導体発光素子との距離を短縮できる。
本発明の光モジュールでは、駆動素子は、半導体発光素子を第１の発光パワーで発光させる第１の信号値と、半導体発光素子を第２の発光パワーで発光させる第２の信号値を有する駆動信号を発生するように構成されており、第１の発光パワーは第２の発光パワーより大きく、半導体発光素子のインピーダンスは、第１の発光パワーを生成するときに第１のインピーダンス以下の値を示すと共に第２の発光パワーを生成するときに第２のインピーダンス以上の値を示すように構成されており、第１のインピーダンスは第２のインピーダンスより小さく、電子素子は、第２のインピーダンス以下のインピーダンスを有するように構成されている。